(57)【要約】【課題】複数のコードの一部を整列させたままの状態で取り外しまたは保持できるようにしたコード保持装置を提供する。【解決手段】複数のコード１を受ける平板状の下部保持体２と、同下部保持体２に対向して下向きコ字状に形成され、前記複数のコード１の一部を整列状態で保持する保持部６と、同保持部６の両側下端に連続形成された前記下部保持体２に対面するフランジ１１と、これら両フランジ１１および下部保持体２に設けられた取付部と、前記両フランジ１１が隣接する面４に夫々設けられた透孔５と、同透孔５を通して前記複数のコード１を前記保持部６で保持した状態にバインドするバインダ９とからなることを特徴とするコード保持装置した。【選択図】  図３
2004179243.tif 000002
【特許請求の範囲】
【請求項１】
複数のコードを受ける平板状の下部保持体と、同下部保持体に対向して下向きコ字状に形成され、前記複数のコードの一部を整列状態で保持する保持部と、同保持部の両側下端に連続形成された前記下部保持体に対面するフランジと、これら両フランジおよび下部保持体に設けられた取付部と、前記両フランジが隣接する面に夫々設けられた透孔と、同透孔を通して前記複数のコードを前記保持部で保持した状態にバインドするバインダとからなることを特徴とするコード保持装置。
【請求項２】
前記取付部が、前記両フランジに設けられた挿通孔と、同挿通孔に対向して前記下部保持体に設けられたねじ孔とで構成され、同ねじ孔に前記挿通孔を通したねじを螺着して前記上部保持具を前記下部保持体に取り付けるようにしてなることを特徴とする請求項１に記載のコード保持装置。
【請求項３】
前記取付部が、前記上部保持具の一側部に設けられた係止爪および他側部に設けられた挿通孔と、前記下部保持体に設けられ、前記係止爪に対応する係止孔および前記挿通孔に対応するねじ孔とで構成され、前記係止孔に前記係止爪を係止すると共に、前記挿通孔を通したねじを前記ねじ孔に螺着して前記上部保持具を前記下部保持体に取り付けるようにしてなることを特徴とする請求項１に記載のコード保持装置。
【請求項４】
前記両フランジが隣接する面は、開放された下端部がハ字状に拡開されてなることを特徴とする請求項１に記載のコード保持装置。
【請求項５】
前記透孔が、前記バインダを前記複数のコードの下部に導くように傾斜させて穿設されてなることを特徴とする請求項１または請求項４に記載のコード保持装置。
【請求項６】
前記下部保持体に、前記複数のコードをバインドしたバインダに対応する凹陥部を設けてなることを特徴とする請求項１に記載のコード保持装置。
【請求項７】
前記凹陥部の両側部が、前記透孔を通した前記バインダを導けるように拡開されてなることを特徴とする請求項１または請求項５に記載のコード保持装置。
【発明の詳細な説明】
【０００１】
【発明の属する技術分野】
本発明は、コード保持装置に係わり、より詳細には、複数のコードを整列させたままの状態で取り外しまたは保持できるようにした構造に関する。
【０００２】
【従来の技術】
従来のコード保持装置（ケーブルのクランプ構造）には、ケーブル（コード）の外径や種類の変化に容易に対応可能なものとして、ケーブル（コード）を整列して載置可能な第１の保持部を有するカバー本体と、第１の保持部に向かって凸に湾曲した第２の保持部を有するクランプ部材と、クランプ部材を第１の保持部に対して傾斜した方向に移動可能に支持すると共にその移動方向における所望の位置で一時的に固定する位置決め手段とで構成されるものがあった（例えば、特許文献１参照。）。
【０００３】
上記構成により、ケーブル（コード）の外径（サイズ）や種類（材質）の変化に容易に対応可能なケーブルのクランプ構造の提供が可能になるという効果を奏していた。
【０００４】
しかしながら、例えば一度クランプした前記ケーブル（コード）を取り外したのちにクランプし直すような場合、整列させた前記ケーブル（コード）の整列順が崩れて入れ替わってしまうおそれがあることから、前記ケーブル（コード）の結線先が不明瞭になって作業性が悪くなってしまったり、最悪の場合、結線先を取り違えてしまうといった事故が生じるおそれがあった。
【０００５】
【特許文献１】
特開平９−１８１７１号公報（第１頁、第２頁および第５頁、第１図）
【０００６】
【発明が解決しようとする課題】
本発明においては、上記の問題点に鑑み、複数のコードを整列させたままの状態で取り外しまたは保持できるようにしたコード保持装置を提供することを目的とする。
【０００７】
【課題を解決するための手段】
本発明は、上記課題を解決するため、複数のコードを受ける平板状の下部保持体と、同下部保持体に対向して下向きコ字状に形成され、前記複数のコードの一部を整列状態で保持する保持部と、同保持部の両側下端に連続形成された前記下部保持体に対面するフランジと、これら両フランジおよび下部保持体に設けられた取付部と、前記両フランジが隣接する面に夫々設けられた透孔と、同透孔を通して前記複数のコードを前記保持部で保持した状態にバインドするバインダとからなる構成となっている。
【０００８】
また、前記取付部が、前記両フランジに設けられた挿通孔と、同挿通孔に対向して前記下部保持体に設けられたねじ孔とで構成され、同ねじ孔に前記挿通孔を通したねじを螺着して前記上部保持具を前記下部保持体に取り付けるようにしてなる構成となっている。
【０００９】
また、前記取付部が、前記上部保持具の一側部に設けられた係止爪および他側部に設けられた挿通孔と、前記下部保持体に設けられ、前記係止爪に対応する係止孔および前記挿通孔に対応するねじ孔とで構成され、前記係止孔に前記係止爪を係止すると共に、前記挿通孔を通したねじを前記ねじ孔に螺着して前記上部保持具を前記下部保持体に取り付けるようにしてなる構成となっている。
【００１０】
また、前記両フランジが隣接する面は、開放された下端部がハ字状に拡開されてなる構成となっている。
【００１１】
また、前記透孔が、前記バインダを前記複数のコードの下部に導くように傾斜させて穿設されてなる構成となっている。
【００１２】
また、前記下部保持体に、前記複数のコードをバインドしたバインダに対応する凹陥部を設けてなる構成となっている。
【００１３】
更に、前記凹陥部の両側部が、前記透孔を通した前記バインダを導けるように拡開されてなる構成となっている。
【００１４】
【発明の実施の形態】
以下、本発明の実施の形態を図面に基づいた実施例として詳細に説明する。
図１は本発明によるコード保持装置の斜視図であり、図２は本発明によるコード保持装置の一実施例を示す要部斜視図であり、図３は本発明によるコード保持装置の一実施例を示す分解断面図であり、図４は本発明によるコード保持装置の一実施例を示す断面図であり、図５は本発明によるコード保持装置の他の実施例を示す要部斜視図であり、図６は本発明によるコード保持装置の他の実施例を示す断面図である。
【００１５】
本発明によるコード保持装置は、図１で示すように、複数のコード１を整列させた状態で平板状の下部保持体２と、逆凹状に形成された上部保持具７とで挟むことによって保持するようになっており、保持された前記複数のコード１の先端部がターミナル１３に結線されるようになっている。
【００１６】
前記下部保持体２は、本実施例においては、前記上部保持具７の寸法および形状に対応させた矩形状の平板部材からなる構成として説明するが、実際には機器類の基台のような大きい部材であってもよい。
【００１７】
前記下部保持体２は、一実施例として図２で示すように、その両側部にねじ孔２ａを備えた構成になっており、前記上部保持具７は、前記下部保持体２に対向する上面３と、その両側を折曲した両側面４とで下向きコ字状に形成され、前記複数のコード１を整列させた状態で保持する保持部６を備えている。
【００１８】
前記上部保持具７の両側面４には透孔５が穿設された構成になっており、図３および図４で示すように、この透孔５を通した弾性を有する帯状のバインダ９により、前記複数のコード１を前記保持部６で整列状態に保持してバインドするようになっている。
【００１９】
前記保持部６によって前記複数のコード１を保持した前記上部保持具７を前記下部保持体２に取り付けるための取付部は、一実施例として図２および図４で示すようにねじ締めによって取り付けられる構成になっている。
【００２０】
前記下部保持体２および前記上部保持具７は、板金製または合成樹脂製により金型成形されるようになっており、合成樹脂製の場合には、前記下部保持体２に対しねじ孔２ａを合金製の部材によりインサート成形して該個所の強度を増強させるようにしてもよい。
【００２１】
なお、一実施例として示された前記取付部は、板状に成形された前記下部保持体２の両側部に設けられたねじ孔２ａと、このねじ孔２ａに対向する挿通孔１０を備えて前記上部保持具７の両側面４の下端部に連続形成されたフランジ１１とで構成されている。
【００２２】
これにより、前記挿通孔１０に通したねじを前記ねじ孔２ａに螺着して前記上部保持具７を前記下部保持体２に取り付けることができる。
【００２３】
または、他の実施例として図５および図６で示すように、前記取付部が、前記下部保持体２の一側部に設けられた係止孔２ｂおよび他側部に設けられたねじ孔２ａと、前記上部保持具７に設けられ、前記係止孔２ｂに係脱可能に係止する係止爪１２および前記ねじ孔２ａに対向する挿通孔１０とで構成されるようにしてもよい。
【００２４】
この場合には、前記係止孔２ｂに前記係止爪１２を係止すると共に、前記挿通孔１０を通したねじを前記ねじ孔２ａに螺着して前記上部保持具７を前記下部保持体２に取り付けることができるので、上記一実施例の場合に対し、ねじ締め個所を減らして取付の作業性を向上させることができる。
【００２５】
前記下部保持体２には、前記透孔５を通した前記バインダ９によって前記複数のコード１をバインドする際、図２乃至図６で示すように、前記バインダ９に対応する凹陥部２ｃが設けられたことにより、前記バインダ９の逃げを形成できてバインド作業をしやすくした構成になっている。
なお、前記凹陥部２ｃは、前記バインダ９の逃げを形成できる形状であれば貫通孔であってもよい。
【００２６】
以上の構成により、次に本発明によるコード保持装置によって前記複数のコード１を保持したり、または取り外したのちに再度保持する場合の動作について説明をする。
【００２７】
図４および図６により、前記保持部６内に前記複数のコード１を整列状態で保持した前記上部保持具７を、前記取付部により前記下部保持体２に取り付けた状態を示している。
【００２８】
このように、前記複数のコード１を保持した前記上部保持具７を前記下部保持体２に取り付けた際、図４で示すように前記透孔５に通す前記バインダ９によって、図３で示すように前記複数のコード１を整列状態にしたままでバインドしておく。
【００２９】
または、図３で示すように前記複数のコード１を整列状態に保持したままでバインドしたのち、図４で示すように、前記上部保持具７を前記下部保持体２に取り付ける。
【００３０】
これにより、例えば図３で示すように前記上部保持具７を取り外した際、前記複数のコード１の整列状態が崩れて入れ替わってしまうおそれがなくなるので、図１で示すように、前記ターミナル１３に再度結線する時に、結線先が不明瞭になって作業性が悪くなってしまったり、最悪の場合、結線先を取り違えてしまうといった事故を未然に防ぐことができる。
【００３１】
また、前記上部保持具７の両側面４は、開放された下端部がハ字状に拡開されているので、前記複数のコード１を拡開部から容易に収容できるようになり、収容時には、前記上面３と前記両側面４とがなす角度が鈍角状になっているため、図３、図４および図６で示すように、該鈍角部に余分な隙間をもたせることなく安定させた状態で保持できる。
【００３２】
また、図４で示すように、前記上部保持具７の両側面４の透孔５が、前記バインダ９を前記複数のコード１の下部に導くように傾斜させて穿設されているので、前記バインダ９を前記複数のコード１の下部に正確に導くことができてバインドするための作業性がよくなる。
【００３３】
前記下部保持体２には、上記に説明したとおり、前記バインダに対応する凹陥部２ｃを設けているので、前記バインダ９の逃げを形成できてバインド作業をしやすくしており、また、前記凹陥部２ｃの両側部２ｄが、図３、図４および図６で示すように、前記透孔５を通した前記バインダ９を導けるように拡開されているので、同バインダ９を円滑に導き入れることができるようになっている。
【００３４】
【発明の効果】
以上説明したように、本発明によれば、複数のコードを整列させたままの状態で取り外しまたは保持できるようにしたコード保持装置となる。
【図面の簡単な説明】
【図１】本発明によるコード保持装置の斜視図である。
【図２】本発明によるコード保持装置の一実施例を示す要部斜視図である。
【図３】本発明によるコード保持装置の一実施例を示す分解断面図である。
【図４】本発明によるコード保持装置の一実施例を示す断面図である。
【図５】本発明によるコード保持装置の他の実施例を示す要部斜視図である。
【図６】本発明によるコード保持装置の他の実施例を示す断面図である。
【符号の説明】
１  コード
２  下部保持体
２ａ  ねじ孔
２ｂ  係止孔
２ｃ  凹陥部
２ｄ  両側部
３  上面
４  両側面（フランジが隣接する面）
５  透孔
６  保持部
７  上部保持具
９  バインダ
１０  挿通孔
１１  フランジ
１２  係止爪
１３  ターミナル
【図１】
2004179243.tif 000003
【図２】
2004179243.tif 000004
【図３】
2004179243.tif 000005
【図４】
2004179243.tif 000006
【図５】
2004179243.tif 000007
【図６】
2004179243.tif 000008